(57)【要約】【課題】複数の操作用回転ダイヤルを備える携帯型電子機器において、その各機能の設定作業を効率的に行えるようにする。【解決手段】携帯型電子機器の設定項目である複数の主項目を一方向に配列して表示すると共に、主項目の下層の設定項目である複数の付随項目を上記一方向に平行な方向に配列して複数の主項目の配列に並べて同時に表示する表示部と、複数の主項目から少なくとも１つの主項目を選択するための第１の回転ダイヤルと、複数の付随項目から少なくとも１つの付随項目を選択するための第２の回転ダイヤルとを具備し、第１の回転ダイヤルと第２の回転ダイヤルとが、第１の回転ダイヤルの回転軸と第２の回転ダイヤルの回転軸とが互いに平行になるように、かつ上記一方向とは直交するように配置されている。【選択図】  図３
2008234628.tif 000002
【特許請求の範囲】
【請求項１】
携帯型電子機器において、
前記携帯型電子機器の設定項目である複数の主項目を一方向に配列して表示すると共に、該主項目の下層の設定項目である複数の付随項目を前記一方向に平行な方向に配列して前記複数の主項目の配列に並べて同時に表示する表示手段と、
前記複数の主項目から少なくとも１つの主項目を選択するための第１の回転ダイヤルと、
前記複数の付随項目から少なくとも１つの付随項目を選択するための第２の回転ダイヤルとを具備し、
前記第１の回転ダイヤルと前記第２の回転ダイヤルとが、前記第１の回転ダイヤルの回転軸と前記第２の回転ダイヤルの回転軸とが互いに平行になるように、かつ前記一方向とは直交するように配置されていることを特徴とする携帯型電子機器。
【請求項２】
前記第１の回転ダイヤルと前記第２の回転ダイヤルは、前記携帯型電子機器を把持したときに、片手で操作可能な位置に配置されていることを特徴とする請求項１に記載の携帯型電子機器。
【請求項３】
前記複数の主項目の配列と、前記複数の付随項目の配列が同時に表示されるときの位置関係は、前記第１の回転ダイヤルと前記第２の回転ダイヤルの配置の位置関係に対応することを特徴とする請求項１または２に記載の携帯型電子機器。
【請求項４】
前記携帯型電子機器は撮像装置であって、
前記第１の回転ダイヤルと前記第２の回転ダイヤルは、前記撮像装置の露出を設定するための操作部材として使用されることを特徴とする請求項１に記載の携帯型電子機器。
【請求項５】
前記携帯型電子機器は撮像装置であって、
前記複数の主項目は複数のフォルダ名であって、前記複数の付随項目は前記第１の回転ダイヤルによって選択されたフォルダに属する複数の画像であることを特徴とする請求項１に記載の携帯型電子機器。
【請求項６】
前記携帯型電子機器は撮像装置であって、
前記複数の主項目は複数のフォルダ名であって、前記複数の付随項目は前記第１の回転ダイヤルによって選択されたフォルダに属する複数の画像に関する情報であることを特徴とする請求項１に記載の携帯型電子機器。
【請求項７】
前記複数の付随項目は、前記第２の回転ダイヤルによるスクロール操作が行われないときには、自動的にスクロールされることを特徴とする請求項１に記載の携帯型電子機器。
【請求項８】
前記複数の付随項目は、その種別をユーザーによって選択可能であることを特徴とする請求項１に記載の携帯型電子機器。
【発明の詳細な説明】
【技術分野】
【０００１】
本発明は、表示装置と複数のダイヤルを有する携帯型電子機器において、表示装置に表示される表示項目をダイヤルで選択する場合の操作性を向上させる技術に関するものである。
【背景技術】
【０００２】
従来の携帯型電子機器、特にデジタルカメラなどの撮像装置においては、操作部材として複数の回転ダイヤルを用いることが、既によく知られている。
【０００３】
そして、これらの回転ダイヤルをユーザーが操作することにより、デジタルカメラの露出の設定、再生画像のページめくり、メニュー項目の選択などの操作を行うことが可能である。
【特許文献１】特開２００３−２４２００４号公報
【特許文献２】特開２００５−０３８４１４号公報
【特許文献３】特開平１０−２２２９６７号公報
【発明の開示】
【発明が解決しようとする課題】
【０００４】
ところで、近年のデジタルカメラなどでは、機能が多様化してきていることから、設定可能なメニュー項目が非常に多くなり、カメラの設定作業が煩雑になってきている。
【０００５】
このような状況において、従来のデジタルカメラなどでは、回転ダイヤルが複数あるにもかかわらず、メニュー項目の設定などのためには、複数の回転ダイヤルのうちの１つしか用いられていない。そのため、メニュー項目の設定などを行う場合の操作性には、まだ改善の余地があった。
【０００６】
従って、本発明は上述した課題に鑑みてなされたものであり、その目的は、複数の操作用回転ダイヤルを備える携帯型電子機器において、その各機能の設定作業を効率的に行えるようにすることである。
【課題を解決するための手段】
【０００７】
上述した課題を解決し、目的を達成するために、本発明に係わる携帯型電子機器は、携帯型電子機器において、前記携帯型電子機器の設定項目である複数の主項目を一方向に配列して表示すると共に、該主項目の下層の設定項目である複数の付随項目を前記一方向に平行な方向に配列して前記複数の主項目の配列に並べて同時に表示する表示手段と、前記複数の主項目から少なくとも１つの主項目を選択するための第１の回転ダイヤルと、前記複数の付随項目から少なくとも１つの付随項目を選択するための第２の回転ダイヤルとを具備し、前記第１の回転ダイヤルと前記第２の回転ダイヤルとが、前記第１の回転ダイヤルの回転軸と前記第２の回転ダイヤルの回転軸とが互いに平行になるように、かつ前記一方向とは直交するように配置されていることを特徴とする。
【発明の効果】
【０００８】
本発明によれば、複数の操作用回転ダイヤルを備える携帯型電子機器において、その各機能の設定作業を効率的に行うことが可能となる。
【発明を実施するための最良の形態】
【０００９】
以下、本発明の好適な一実施形態について、図面を参照して詳細に説明する。
【００１０】
図１は、本発明の携帯型電子機器の一実施形態であるデジタルカメラの構成を示すブロック図である。
【００１１】
図１において、デジタルカメラ１００は、デジタルカメラの本体部１０２と、この本体部１０２に対して着脱自在な交換レンズタイプのレンズユニット１とを備える。本体部１０２は、レンズユニット１からの被写体光を取り込む画像処理部２と、画像処理部２に電源を供給する電源部３を備える。電源部３は、アルカリ電池やリチウム電池等の一次電池、ＮｉＣｄ電池やＮｉＭＨ電池やＬｉイオン電池等の二次電池等で構成される。また、本体部１０２には、インターフェース（Ｉ／Ｆ）部４，５を介して画像処理部２に接続されるメモリカードやハードディスク等からなる第１及び第２の記録部６，７が接続される。
【００１２】
そして、レンズユニット１と本体部１０２とは夫々のレンズマウント８，９を介して互いに機械的に接続され、また、コネクタ１０，１１を介して互いに電気的に接続されている。そして、本体部１０２側のレンズマウント９又はコネクタ１１にはレンズユニット１の装着の有無を検知するレンズ着脱検知センサ（不図示）が内蔵されている。
【００１３】
さらに、電源部３と本体部１０２とはコネクタ１２ａ，１２ｂを介して互いに電気的に接続され、第１及び第２の記録部６，７に接続されたＩ／Ｆ部４，５と本体部１０２とはコネクタ１３，１４，１５，１６を介して互いに電気的に接続されている。なお、電源部３は、本実施形態では電池で構成しているが、ＡＣアダプタ等、他の電源供給手段で構成してもよい。
【００１４】
レンズユニット１は、具体的には、被写体からの光（被写体像）が入射する撮像レンズ１７と、被写体像の光量を調節するための開口面積を変化させる絞り１８を備える。また、後述する本体部１０２の測光部４２からの測光情報に基づき後述するシャッター制御部と連携しながら絞り１８の開口面積を制御する絞り制御部１９を備える。また、撮像レンズ１７の焦点制御を行う測距制御部２０と、撮像レンズ１７のズーミングを制御するズーム制御部２１も備える。さらに、レンズユニット１全体の制御を司るレンズシステム制御回路２２と、本体部１０２との間でインターフェース動作を司るＩ／Ｆ部２３も備える。
【００１５】
そして、レンズシステム制御回路２２は動作用の定数、変数、プログラム等を記憶するメモリやレンズユニット１に固有の識別情報、管理情報、開放絞り値や最小絞り値、焦点距離等の機能情報、現在や過去の各設定値などを保持する不揮発性メモリを備える。
【００１６】
また、コネクタ１０は、本体部１０２とレンズユニット１との間で制御信号、状態信号、データ信号等を伝達すると共に、各種電流が双方向に供給可能とされている。なお、コネクタ１０は電気通信のみならず、光通信、音声通信等が可能となるように構成しても良い。
【００１７】
また、本体部１０２内の画像処理部２は、レンズユニット１からの光信号を画像データとして処理する画像処理ブロック２４と、デジタルカメラ全体のシステム制御を司るシステム制御ブロック２５とを備えている。
【００１８】
画像処理ブロック２４は、具体的には、クイックリターンミラー２６、とペンタプリズム２７と、クイックリターンミラー２６とペンタプリズム２７を経た光学像を結像表示する光学ファインダ２８を備える。また、露光時間を制御するシャッター２９と、光学像からの電荷を蓄積して光学像を電気信号に変換する撮像素子３０と、撮像素子３０から出力されるアナログ電気信号をデジタル電気信号に変換するＡ／Ｄ変換器３１も備える。また、画像処理ブロック２４全体を制御するメモリ制御回路３２と、メモリ制御回路３２を介して画像表示用データが書き込まれる画像表示メモリ３３と、撮影された静止画像や動画像が格納されるメインメモリ３４も備える。また、適応離散コサイン変換（ＡＤＣＴ）等によりメインメモリ３４に格納された画像データに対し圧縮伸長処理を行う圧縮伸長回路３５も備える。また、Ａ／Ｄ変換器３１又はメモリ制御回路３２からの画像データに対し所定の画素補間処理や色変換処理その他所定の演算処理を行う画像処理回路３６も備える。また、メモリ制御回路３２からの出力信号（デジタル電気信号）をアナログ電気信号に変換するＤ／Ａ変換器３７も備える。また、メモリ制御回路３２の制御のもとに、撮像素子３０、Ａ／Ｄ変換器３１、Ｄ／Ａ変換器３７にクロック信号や制御信号を供給するタイミング発生回路３８も備える。また、画像表示メモリ３３に書き込まれた画像表示データを表示するＴＦＴ・ＬＣＤ等からなる画像表示部３９を備え、撮像画像データを画像表示部３９に逐次表示することにより、電子ファインダ機能が実現可能とされている。なお、画像表示部３９は、後述するシステム制御回路４０からの指示により任意に表示をオン・オフすることが可能とされ、表示をオフにした場合は画像処理部２の消費電力を大幅に低減することができる。
【００１９】
また、メインメモリ３４は、所定枚数の静止画像や所定時間の動画像を格納するのに十分な記憶容量を有しており、これにより複数枚の静止画像を連続して撮影する連写撮影やパノラマ撮影の場合にも、大量の画像書き込みを高速で行うことが可能となる。なお、メインメモリ３４は、後述するシステム制御回路４０の作業領域としても使用することが可能とされている。
【００２０】
また、上述した光学ファインダ２８は所定の表示機能を有しており、例えば、合焦表示、撮影準備完了、手振れ警告、シャッタースピード・絞り値、露出補正、記録媒体書き込み動作等の各種情報が表示される。
【００２１】
システム制御ブロック２５は、画像処理部２の全体のシステム制御を司るシステム制御回路４０に多数の構成要素が接続されて構成されている。
【００２２】
測距部４１は、レンズユニット１からクイックリターンミラー２６、更には不図示の測距用サブミラーを介して入射される光学像の合焦状態測定、すなわちＡＦ（オートフォーカス）処理を行う。
【００２３】
測光部４２は、レンズユニット１からクイックリターンミラー２６、更には不図示の測光用レンズを介して入射される光学像の露出状態測定、すなわちＡＥ（自動露出）処理を行う。
【００２４】
シャッター制御部４３は、測光部４２からの測光情報に基づいて、絞り１８を制御する絞り制御部１９と連携しながらシャッター２９を制御する。
【００２５】
ミラー制御部４４は、システム制御回路４０からの信号に応じてクイックリターンミラー２６の駆動を制御する。
【００２６】
また、システム制御回路４０は、画像処理回路３６で得られた演算結果に基づき測距部４１、測光部４２、シャッター制御部４３等に対し、ＴＴＬ（スルー・ザ・レンズ）方式でＡＦ処理、ＡＥ処理、ＥＦ処理を行う。更には、ＡＷＢ（オートホワイトバランス）処理も行う。
【００２７】
電源スイッチ４５は、本体部１０２の電源オン、電源オフの各モードを切換え設定することができる。また、本体部１０２に接続されたレンズユニット１、外部ストロボ、第１及び第２の記録部６，７等の各種付属装置の電源オン、電源オフの設定も合わせて切換えることができる。
【００２８】
電源制御部４６は、電池検出回路、ＤＣ−ＤＣコンバータ、さらには通電する部位の切換を行なう切換スイッチ回路等からなり、電源部３としての電池の装着有無、電池種類、電池残量の検出を行う。そして、その検出結果やシステム制御回路４０からの指示に基づいてＤＣ−ＤＣコンバータを制御し、必要な電圧を必要な期間、第１及び第２の記録部６，７を含む各部に供給する。
【００２９】
システムメモリ４７は、システム制御回路４０の動作用定数、変数、プログラム等を記憶する。
【００３０】
表示部４８は液晶表示装置（ＬＣＤ）、発光ダイオード（ＬＥＤ）、ランプ、スピーカー等からなり、システム制御回路４０でのプログラムの実行に応じ、文字、画像、音声等を用いて動作状態やメッセージ等を表示する。なお、表示部４８は、後述する操作部近傍の視認し易い位置に１つ以上配設されている。
【００３１】
表示部４８のうち、ＬＣＤには、例えば、シングルショット／連写撮影、セルフタイマー、圧縮率、記録画素数、記録枚数、残撮影可能枚数、シャッタースピード、絞り値、露出補正、赤目緩和表示、マクロ撮影表示、ブザー設定等が表示される。また、時計用電池残量、電池残量、エラーメッセージ、複数桁の数字による情報、第１及び第２の記録部６，７の装着状態、レンズユニット１の装着状態、後述する通信回路の動作、日付け・時刻表示、外部コンピュータとの接続状態等も表示される。
【００３２】
また、表示部４８のうち、ＬＥＤには、例えば、合焦表示、撮影準備完了表示、手振れ警告、記録媒体書き込み動作、マクロ撮影設定通知、二次電池充電状態表示等が表示される。
【００３３】
さらに、表示部４８の表示内容のうち、ランプには、例えば、セルフタイマー通知ランプ等が表示される。このセルフタイマー通知ランプは、ＡＦ補助光と共用してもよい。
【００３４】
不揮発性メモリ４９は電気的に消去・記録可能なメモリであって、例えばＥＥＰＲＯＭで構成されている。
【００３５】
通信回路５０は、ＲＳ２３２Ｃ、ＩＥＥＥ１３９４、Ｐ１２８４、ＳＣＳＩ、モデム、ＬＡＮ、無線通信等の各種通信機能を備えている。
【００３６】
コネクタ５１は、通信回路５０を介して本体部１０２と他の外部機器とを接続する。尚、通信回路５０が無線通信機能を有する場合はコネクタ５１に代えてアンテナが通信回路５０に接続される。
【００３７】
記録部着脱検知センサ５２は、コネクタ１３，１５がコネクタ１４，１６に装着されているか否かを検知する。
【００３８】
また、システム制御回路４０には、モードダイヤル５３、第１及び第２のシャッタースイッチ５４，５５、再生スイッチ５６、ミラーアップモードスイッチ５７、操作部５８等の操作部材群が接続され、システム制御回路４０に各種の動作を指示する。
【００３９】
モードダイヤル５３は、撮影モードを選択することができる。撮影モードには、自動撮影モード、プログラム撮影モード、シャッター速度優先撮影モード、絞り優先撮影モード、マニュアル撮影モード、焦点深度優先（デプス）撮影モード、パノラマ撮影モード等がある。さらに、ポートレート撮影モード、風景撮影モード、接写撮影モード、スポーツ撮影モード、夜景撮影モード等もある。モードダイヤル５３により、これら各モードの切換設定が可能とされている。
【００４０】
ミラーアップモードスイッチ５７は、ミラーアップ撮影モードと通常の撮影モードを切換えるスイッチである。ミラーアップ撮影モードでは、撮影毎にクイックリターンミラー２６がダウンするモードと、一度クイックリターンミラー２６がアップした後はミラーダウンの指示があるまでクイックリターンミラーがアップのままで連続して撮影が出来るモードを選択できる。
【００４１】
第１のシャッタースイッチ（ＳＷ１）５４は、不図示のシャッターボタンが半押し状態にあるときにオンし、ＡＦ処理、ＡＥ処理、ＡＷＢ処理、ＥＦ処理等の動作開始を指示する。
【００４２】
第２のシャッタースイッチ（ＳＷ２）５５は、不図示のシャッターボタンが全押し状態にあるときにオンし、一連の撮影処理動作の開始を指示する。撮影処理動作には、ミラーアップ、シャッター作動、ミラーダウン動作が含まれる。また、撮像素子３０からの画像データをメインメモリ３４に書き込む書込処理、画像処理回路３６やメモリ制御回路３２での演算に基づいて現像を行なう現像処理も含まれる。さらに、メインメモリ３４から画像データを読み出す読出処理、圧縮・伸長回路３５での画像データの圧縮処理、第１又は第２の記録部６，７に画像データを書き込む記録処理等も含まれる。
【００４３】
再生スイッチ５６は、撮影した画像をメインメモリ３４や第１及び第２の記録部６，７から読み出して画像表示部３９に表示する再生動作の開始を指示する。
【００４４】
操作部５８は各種ボタン、回転ダイヤル、タッチパネル等を備え、メニューボタン、セットボタン、マクロボタン、マルチ画面再生改ページボタン、フラッシュ設定ボタン、単写／連写／セルフタイマー切換ボタンを有する。また、メニュー移動プラス（＋）ボタン、メニュー移動マイナス（−）ボタン、再生画像移動プラス（＋）ボタン、再生画像移動マイナス（−）ボタン、撮影画質選択ボタン、露出補正ボタン、日付／時間設定ボタンも有する。また、パノラマモード等の撮影及び再生実行時に各種機能を選択及び切換設定する選択／切換ボタン、パノラマモード等の撮影及び再生実行時に各種機能の決定及び実行を設定する決定／実行ボタンも有する。また、画像表示部３９のオン・オフ設定をする画像表示スイッチ、撮影直後に撮影した画像データを自動再生するクイックレビュー機能を設定するクイックレビュースイッチも有する。また、ＪＰＥＧ圧縮の圧縮率を選択したり或いは撮像素子３０の信号をそのままデジタル化して記録媒体に記録する撮像素子ＲＡＷモードを選択する圧縮モードスイッチも有する。また、再生モード、マルチ画面再生・消去モード、ＰＣ接続モード等の各機能モードを設定するモード設定スイッチも有する。また、第１のシャッタースイッチ（ＳＷ１）５４を押下したときのＡＦモードとして、ワンショットＡＦモードとサーボＡＦモードとを切換設定するＡＦモード設定スイッチを有する。ワンショットＡＦモードでは、ＡＦ動作を開始し一旦合焦したときはその合焦状態を保持し続ける。また、サーボＡＦモードでは、第１のシャッタースイッチ（ＳＷ１）５４を押下している間は連続してＡＦ動作を続ける。また、ミラーアップモードでミラーアップ中にミラーをダウンさせるミラーダウンスイッチも有している。
【００４５】
また、上記プラスボタン及びマイナスボタンの各機能は、回転ダイヤルスイッチを設けることによって、より軽快に数値や機能を選択することができる。
【００４６】
なお、Ｉ／Ｆ部５９は、レンズユニット１との間でインターフェース動作を司る。
【００４７】
また、本体部１０２には、Ｉ／Ｆ部６０，６１が内蔵されており、Ｉ／Ｆ部６０，６１は、コネクタ１３〜１６を介して、第１及び第２の記録部６，７に接続されたＩ／Ｆ部４，５に接続され、記録部側とのインターフェース動作を司る。
【００４８】
図２Ａは、図１に示したデジタルカメラを背面から見た外観図である。
【００４９】
図２Ａにおいて、デジタルカメラ１００の本体部１０２には、第１の回転ダイヤル２２１と第２の回転ダイヤル２２２が配置されている。なお、第１及び第２の回転ダイヤル２２１，２２２は、図１の操作部５８に含まれる。また、第１及び第２の回転ダイヤル２２１，２２２の配置位置は、図２Ａに示される位置に限定されるものではなく、デジタルカメラを把持したときに片手で両方のダイヤルを操作することが可能であれば配置位置は問わない。また、３９は図１に示した画像表示部である。ただし、後述するように、表示する項目との関係から、第１の回転ダイヤル２２１は、第２の回転ダイヤル２２２よりも、デジタルカメラ１００を背面から見たときに、若干左寄りに配置されている。
なお、デジタルカメラ１００の本体部１０２には回転ダイヤルだけではなく、メニューボタン（ＭＥＮＵボタン）２２３や、第１の回転ダイヤル２２１の中央部に位置するセットボタン（ＳＥＴボタン）２２４も配置されている。
【００５０】
図２Ｂはデジタルカメラ１００の本体部１０２を上方から見た図である。
【００５１】
図２Ａ及び図２Ｂに示されるように、第１の回転ダイヤル２２１の回転軸２２１ａと第２の回転ダイヤル２２２の回転軸２２２ａは、共にレンズユニット１の撮影光軸１ａと平行である。即ち、第１の回転ダイヤル２２１の回転軸２２１ａと第２の回転ダイヤル２２２の回転軸２２２ａは、互いに平行に配置されている。また、これら回転軸２２１ａと回転軸２２２ａは、表示画面３９には直交している。言い換えると、表示画面３９の表示面は、第１の回転ダイヤルの回転面および第２の回転ダイヤルの回転面に平行である。
【００５２】
第１及び第２の回転ダイヤルの使用方法の一例としては、第１の回転ダイヤル２２１をメニューの主項目選択もしくはシャッタースピード選択に使用し、第２の回転ダイヤル２２２を付随項目選択もしくは絞り値選択に使用する方法がある。ここで、例えば、メニューの主項目とは、再生したい画像データが収納されているフォルダなどであり、付随項目とは、そのフォルダ内の各画像データなどである。言い換えれば、主項目とは上層の項目であり、付随項目とは、主項目の下層の項目である。
【００５３】
図３は、画像表示部３９に表示されるメニューの主項目と、選択された主項目に付随する付随項目を示した図である。メニューの主項目３３１は一方向に並んで配列されており、付随項目３３２は主項目３３１の配列方向と平行な方向に配列されている。
【００５４】
ここでは、主項目３３１は縦方向に一列に配列され、付随項目３３２も同様に縦方向に一列に配列され、これらは表示画面の左側に主項目３３１の配列を、右側に付随項目３３２の配列を一画面中に同時に並べて表示している。
【００５５】
そして、左側に配列されている主項目３３１を操作する第１の回転ダイヤル２２１は、右側に配列されている付随項目３３２を操作する第２の回転ダイヤル２２２よりも、デジタルカメラ１００において左側に配置されている。つまり、操作対象である主項目および付随項目の表示配列（位置関係）は、これら２つのダイヤルの配置に対応している。
【００５６】
このように、２つのダイヤルの配置に対応していれば、主項目および付随項目の表示をアレンジすることが可能である。例えば、第１の回転ダイヤルが、第２の回転ダイヤルよりも、背面から見たときに下方に配置されていることする。この場合は、主項目の配列を横一列に配列し、付随項目の配列も、主項目の配列より上方に横一列に配列すれば、表示の配列とダイヤルの配置が対応することになる。
【００５７】
主項目３３１及び付随項目３３２を第１及び第２の回転ダイヤル２２１，２２２を使用して選択する方法としては、次のようなものが考えられる。即ち、主項目３３１を第１の回転ダイヤル２２１で選択し、付随項目３３２を第２の回転ダイヤル２２２で選択する方法と、主項目３３１を第２の回転ダイヤル２２２で選択し、付随項目３３２を第１の回転ダイヤル２２１で選択する方法である。
【００５８】
また、回転ダイヤルは３つ以上有していても構わないので、第１及び第２の回転ダイヤル２２１，２２２の他に、第３の回転ダイヤルを携帯型電子機器に配置し、主項目３３１及び付随項目３３２を選択する構成にしても構わない。
【００５９】
図３では、メニューの主項目３３１はフォルダ名であり、付随項目３３２は、第１の回転ダイヤルで選択されたフォルダに属する画像データである。
【００６０】
図４は、図３に示された表示項目のうち、付随項目３３２を、画像を撮影したときの露出などの情報である撮影情報に置き代えた状態を示す図である。なお、付随項目３３２は、主項目３３１から選択されたフォルダに属する情報であれば何であっても構わない。
【００６１】
撮影情報には、露出情報、プロテクト情報、画像サイズ、音声ファイルの付属、ＤＰＯＦ選択の有無、転送履歴、Ｅｘｉｆ情報等がある。
【００６２】
図５は、図３の付随項目３３２を、第２の回転ダイヤル２２２の操作が無い場合に、自動的にスクロールさせる動作を示すフローチャートである。
【００６３】
まず、ステップＳ５０１では、ユーザーが操作部５８に含まれるメニューボタン２２３を押した後、画像表示部３９に表示されるメニューから所望の項目を第１又は第２の回転ダイヤルで選択することにより、図３のような画面が表示される。
【００６４】
次に、ユーザーは、第１の回転ダイヤル２２１により、メニューの主項目を選択する（ステップＳ５０２）。
【００６５】
次に、第１の回転ダイヤル２２１の動作が停止した後、一定時間の間に第２の回転ダイヤル２２２が操作されるか否か待機する（ステップＳ５０３）。
【００６６】
第２の回転ダイヤル２２２が操作された場合は指示通りの回転数だけ付随項目をスクロールさせる（ステップＳ５０４）。
【００６７】
第２の回転ダイヤル２２２が操作されなかった場合は自動的にスクロールを開始する（ステップＳ５０５）。
【００６８】
図６（ａ）は、図３の付随項目３３２の表示内容を選択する画面を表した図である。この画面は、操作部５８に含まれるメニューボタン２２３を押した後、画像表示部３９に表示されるメニューから、「付随項目の設定」の項目を第１又は第２の回転ダイヤルで選択することにより表示される。
【００６９】
図６（ａ）で示される状態は、画像表示部３９の右側の領域（付随項目が表示される領域）に、主項目として選択されたフォルダ内の最初と最後の画像を表示する状態を示している。また、表示されている最初と最後の画像には、画像番号を表示することが設定されている。なお、図６（ａ）に示される、ＧＰＳとは画像を撮影したときの位置情報を表示するか否かを選択する項目である。また、Ｔｖ，Ａｖとは、画像を撮影したときのシャッター速度及び絞り値を表示するか否かを選択する項目である。さらに、ＩＳＯとは、画像を撮影したときの感度情報を表示するか否かを選択する項目である。
【００７０】
図６（ａ）のような設定状態になっている場合には、図６（ｂ）に示した画面では、画像表示部３９の左側に表示されている主項目（フォルダ名）から、ユーザーが第１の回転ダイヤル２２１でフォルダ名を選択すると、次のようになる。即ち、画像表示部３９の付随項目の表示領域に、選択されたフォルダ名（ここでは５６５ＣＣＣＣ）に含まれる画像のうちの最初の画像と最後の画像が表示され、画像番号も表示される。なお、図６（ａ）の画面で、ＧＰＳ、Ｔｖ，Ａｖ、ＩＳＯなどの項目にもチェックを入れれば、それらの情報も表示される。
【００７１】
次に、第１及び第２の回転ダイヤルにより主項目と付随項目を選択する全体動作について説明する。
【００７２】
図７は図３に示す主項目３３１と付随項目３３２を選択する動作を示すフローチャートである。
【００７３】
図７において、ステップＳ５０１でメニューボタン２２３が押下されると、撮像装置１００は表示画面３９にメニュー画面を表示させる（ステップＳＳ５０２）。メニュー画面表示については、図８を参照して後述する。
【００７４】
ステップＳ５０３においてフォルダ項目が選択されたならば、フォルダ画面を表示する（ステップＳ５０４）。
【００７５】
ステップＳ５０４でのフォルダ画面とは、図３に示される主項目３３１と付随項目３３２を表示した画面のことである。
【００７６】
ステップＳ５０５においてセットボタン２２４が押下されて、該当フォルダが選択されたならば、ステップＳ５０２のメニューの主項目表示に戻る。
【００７７】
ステップＳ５０５においてセットボタン２２４が押下されなかったならば、ステップＳ５０６に進む。
【００７８】
ステップＳ５０６において第１の回転ダイヤル２２１が回転されたならば、メニューの主項目３３１で選択されているフォルダが第１のダイヤル２２１が回転された回数分スクロールされる（ステップＳ５０７）。
【００７９】
また、付随項目３３２はステップＳ５０７で選択されたフォルダに属する画像データを表示するべく表示を更新する（ステップＳ５０８）。ステップＳ５０７とステップＳ５０８の動作については図９Ａを参照して後述する。
【００８０】
ステップＳ５０６において第１の回転ダイヤル２２１が回転されなかったならば、ステップＳ５０９に進む。
【００８１】
ステップＳ５０９において第２の回転ダイヤル２２２が回転されたならば、付随項目３３２の項目が第２の回転ダイヤル２２２が回転された回数分スクロールされる（ステップＳ５１０）。ステップＳ５１０の動作については図９Ｂを参照して後述する。
【００８２】
ステップＳ５０９において第２の回転ダイヤル２２２が回転されなかったならば、ステップＳ５０５に戻る。
【００８３】
ステップＳ５１１においてメニューボタン２２３が再び押下されたならば、撮像装置１００はメニュー画面の表示を終了させる。
【００８４】
図８は図７のステップＳ５０２において表示されるメニュー画面を示した図である。
【００８５】
６６０はＭＥＮＵボタン２２３が押下された際に表示されるメニュー画面の項目全体を示している。
【００８６】
例えば、個々の項目として、ＭＷＢデータ登録６６１、色空間６６２、画像サイズ６６３、液晶の明るさ６６４、フォルダ選択６６５を挙げている。
【００８７】
しかし、本発明は上記項目に限定されるものではなく、携帯型電子機器の機能設定に関わる様々な項目が考えられる。
【００８８】
例えば、図１に示す撮像装置１００にはホワイトバランス設定、ホワイトバランスブラケット設定、撮影モードの選択、ＪＰＥＧ画質の選択、オートパワーオフ設定、カードの初期化、日付設定、バッテリー情報の確認、ストロボ設定等様々な項目がある。
【００８９】
６６０で示すメニュー画面は図３に示されるメニューの主項目３３１（上層）に相当する。
【００９０】
この場合、下層に相当するのは、例えばＭＷＢデータ登録ユーザー１〜５やフォルダ等である。それらの関係については、図９Ａ、図９Ｂを参照して後述する。
【００９１】
図２Ａ及び図２Ｂに示される第１の回転ダイヤル２２１と第２の回転ダイヤル２２２はそれぞれメニューの上層項目の選択、下層項目の選択に用いることができる。そのため、第１の回転ダイヤル２２１を６６０で示される項目の選択に使用し、第２の回転ダイヤル２２２をフォルダ選択に使用することが可能である。
【００９２】
図９Ａは、図７のステップＳ５０７とステップＳ５０８の動作を説明するための図である。
【００９３】
７７１，７７３はメニューの主項目の表示領域であり、７７２，７７４は付随項目の表示領域である。
【００９４】
表示領域７７２に表示されている項目は、表示領域７７１において選択されている主項目「１００ＡＡＡＡＡ」の付随項目であり、「１００−０００１」と「１００−０００２」が表示されている。
【００９５】
メニューの主項目を移動させる第１の回転ダイヤル２２１を回転させると、表示領域７７１において選択されている主項目「１００ＡＡＡＡＡ」が移動し（スクロール操作され）、表示領域７７３に示すように主項目「１０３ＤＤＤＤＤ」が選択されている状態になる。
【００９６】
第１の回転ダイヤル２２１は、回転に伴い、所定角度ごとにクリック感があるように構成されており、ユーザは１回クリック感を感じるまで回転すると、１項目選択を移動させることができる。従って、主項目「１００ＡＡＡＡＡ」から主項目「１０３ＤＤＤＤＤ」に選択を移動させるには、ユーザは３回クリック感を感じるまで第１の回転ダイヤル２２１を回転させれば良い。
【００９７】
第１の回転ダイヤル２２１が回転されたことにより、表示領域７７４には主項目「１０３ＤＤＤＤＤ」の付随項目である「１０３−０００１」と「１０３−０００２」が表示される。
【００９８】
図９Ｂは、図７のステップＳ５１０の動作を説明するための図である。
【００９９】
７８１，７８３はメニューの主項目の表示領域であり、７８２，７８４は付随項目の表示領域である。
【０１００】
表示領域７８２に表示されている項目は、表示領域７８１において選択されている主項目「１０３ＤＤＤＤＤ」の付随項目であり、「１０３−０００１」と「１０３−０００２」が表示されている。
【０１０１】
付随項目を移動させる第２の回転ダイヤル２２２を回転させると、表示領域７８２に表示されている表示項目が移動し（スクロールされ）、表示領域７８４に示すように「１０３−０００２」と「１０３−０００３」が表示される。
【０１０２】
第２の回転ダイヤル２２２も、第１の回転ダイヤル２２１と同様に、回転に伴い、所定角度ごとにクリック感があるように構成されており、ユーザは１回クリック感を感じるまで回転すると、１項目移動させることができる。従って、付随項目を１つ移動させるには、ユーザは１回クリック感を感じるまで第２の回転ダイヤル２２２を回転させれば良い。  第１の回転ダイヤル２２１は回転させていないので、表示領域７８１，７８３は同じ表示である。
【０１０３】
図１０はメニューの主項目（図３の３３１）をＭＷＢデータ登録、色空間、画像サイズ、液晶の明るさ、フォルダ選択といったデジタルカメラ機能の設定項目とし（表示領域８８１）、付随項目（図３の３３２）を主項目に属する内容（表示領域８８２）とした状態を示した図である。
【０１０４】
図１０では、メニューの主項目のうち、フォルダ選択にフォーカスを当てているので、付随項目の表示領域８８２の内容はフォルダ選択の項目に属する「各フォルダ名」となる。
【０１０５】
第１の回転ダイヤル２２１を回転させて、次の項目であるＭＷＢデータ登録にフォーカスを当てた場合は、ＭＷＢデータ登録の付随項目である「ユーザー１〜５」が表示領域８８２に表示される。
【０１０６】
第１の回転ダイヤル２２１をさらに回転させて、次の項目である色空間にフォーカスを当てた場合は、色空間の付随項目である「ｓＲＧＢ、ａｄｏｂｅＲＧＢ」が表示領域８８２に表示される。
【０１０７】
画像サイズ・液晶の明るさについても同様である。
【０１０８】
なお、上記の実施形態では、主項目をフォルダ名、付随項目をフォルダ内のファイル名として説明した。しかし、本発明はこの種別に限定されるものではなく、主項目をカメラの状態を設定する設定項目、付随項目をその設定項目の下層の設定項目に選択可能としてもよい。具体的には、例えば主項目をカメラの撮影モード、付随項目をその撮影モードの下層の設定項目である単写、連写などにしてもよい。
【０１０９】
以上説明したように、上記の実施形態によれば、画像表示部３９に互いに平行に表示される主項目と付随項目をそれぞれ異なる回転ダイヤルで選択することができるので、項目選択の自由度が向上し、ユーザーの利便性が高まる。また、回転ダイヤルの回転方向と、各項目の配列方向が一致するので、ユーザは項目を直感的に選ぶことができる。
【０１１０】
また、第１の回転ダイヤルと第２の回転ダイヤルは片手で操作可能なので、項目の選択の煩わしさが軽減される。
【０１１１】
また、第１の回転ダイヤルと第２の回転ダイヤルの配置を、操作される項目の配列に関連付けたので、さらに直感性に富んだ操作感を提供することができる。
【０１１２】
また、第１の回転ダイヤルと第２の回転ダイヤルは、露出選択のダイヤルと兼用することができるので、デジタルカメラに配置されるダイヤルの数を削減することができる。
【図面の簡単な説明】
【０１１３】
【図１】本発明の携帯型電子機器の一実施形態であるデジタルカメラの構成を示すブロック図である。
【図２Ａ】図１に示したデジタルカメラを背面から見た外観図である。
【図２Ｂ】デジタルカメラの本体部を上方から見た図である。
【図３】画像表示部に表示されるメニューの主項目と、選択された主項目に付随する付随項目を示した図である。
【図４】図３に示された表示項目のうち、付随項目を、画像を撮影したときの露出などの情報である撮影情報に置き代えた状態を示す図である。
【図５】図３の付随項目を、第２の回転ダイヤルの操作が無い場合に、自動的にスクロールさせる動作を示すフローチャートである。
【図６】付随項目の選択方法を示した図である。
【図７】図３に示す主項目と付随項目を選択する動作を示すフローチャートである。
【図８】図７のステップＳ５０２において表示されるメニュー画面を示した図である。
【図９Ａ】図７のステップＳ５０７とステップＳ５０８の動作を説明するための図である。
【図９Ｂ】図７のステップＳ５１０の動作を説明するための図である。
【図１０】メニューの主項目をデジタルカメラ機能の設定項目とし、付随項目を主項目に属する内容とした状態を示した図である。
【符号の説明】
【０１１４】
１  レンズユニット
２９  シャッター
３０  撮像素子 
３３  画像表示メモリ
３９  画像表示部 
４０  システム制御回路
４７  システムメモリ
４８  表示部
４９  不揮発性メモリ
５４  シャッタースイッチＳＷ１
５５  シャッタースイッチＳＷ２ 
５８  操作部  
６０，６１  インターフェース
１００  デジタルカメラ
【図１】
2008234628.tif 000003
【図２Ａ】
2008234628.tif 000004
【図２Ｂ】
2008234628.tif 000005
【図３】
2008234628.tif 000006
【図４】
2008234628.tif 000007
【図５】
2008234628.tif 000008
【図６】
2008234628.tif 000009
【図７】
2008234628.tif 000010
【図８】
2008234628.tif 000011
【図９Ａ】
2008234628.tif 000012
【図９Ｂ】
2008234628.tif 000013
【図１０】
2008234628.tif 000014